(57)【特許請求の範囲】
【請求項１】
像保持体に現像剤を供給する現像部材と、
異なる色の現像剤を前記現像部材に現像剤供給位置で供給する複数の現像剤供給部と、
前記複数の現像剤供給部を配設され、該複数の現像剤供給部をそれぞれ現像剤供給位置へ搬送する搬送部と、
前記現像部材が前記像保持体に供給した後に残った現像剤を前記現像部材から剥離する剥離手段と
を有し、
前記搬送部は、
前記現像部材に供給する現像剤の色を変更するために前記複数の現像剤供給部を搬送する過程で、前記剥離手段が剥離した現像剤を回収するための回収路を、現像剤供給位置とは異なる位置に形成する現像装置。
【請求項２】
前記搬送部は、回転軸を中心にして回転する回転体、又は変位する移動体である請求項１記載の現像装置。
【請求項３】
前記搬送部は、前記回収路を介して回収される現像剤を収容する回収現像剤収容部が設けられている請求項１又は２記載の現像装置。
【請求項４】
前記搬送部は、前記剥離手段が剥離した所定の色の現像剤を供給した前記現像剤供給部の次に他の色の現像剤を前記現像部材に供給する前記現像剤供給部を現像剤供給位置へ搬送する前に、前記剥離手段が剥離した所定の色の現像剤を回収可能なように、前記回収路を形成する請求項１乃至３いずれか記載の現像装置。
【請求項５】
前記搬送部は、前記複数の現像剤供給部のいずれかを現像剤供給位置へ搬送した状態では前記回収路を形成せず、前記回収路を形成した状態では前記複数の現像剤供給部のいずれも現像剤供給位置とは異なる位置へと搬送する請求項１乃至４いずれか記載の現像装置。
【請求項６】
像保持体に現像剤を供給する現像部材と、
回転軸を中心にして回転する回転体と、
この回転体に設けられ、前記現像部材に対向する現像剤供給位置において現像剤を前記現像部材に供給する複数の現像剤供給部と、
前記現像部材が前記像保持体に供給した後に残った現像剤を前記現像部材から剥離する剥離手段と、
前記現像剤供給部の移動に伴って前記剥離手段に対向し、重力方向に対する傾きが前記回転体の回転に応じて変化することにより、前記剥離手段が剥離した現像剤を回収する複数の現像剤回収部と
を有する現像装置。
【請求項７】
前記現像剤回収部は、回収した現像剤を前記回転体の回転に応じて前記現像剤供給部に供給する請求項６記載の現像装置。
【請求項８】
前記回転体に設けられ、前記複数の現像剤供給部に供給するための異なる色の現像剤を収容する複数の供給現像剤収容部をさらに有する請求項６又は７記載の現像装置。
【請求項９】
前記現像剤回収部は、前記供給現像剤収容部に一体に設けられている請求項８記載の現像装置。
【請求項１０】
前記供給現像剤収容部は、前記回転体に対して着脱可能にされている請求項８又は９記載の現像装置。
【請求項１１】
像保持体と、
この像保持体に現像剤を供給する現像部材と、
異なる色の現像剤を前記現像部材に現像剤供給位置で供給する複数の現像剤供給部と、
前記複数の現像剤供給部を配設され、該複数の現像剤供給部をそれぞれ現像剤供給位置へ搬送する搬送部と、
前記現像部材が前記像保持体に供給した後に残った現像剤を前記現像部材から剥離する剥離手段と
を有し、
前記搬送部は、
前記現像部材に供給する現像剤の色を変更するために前記複数の現像剤供給部を搬送する過程で、前記剥離手段が剥離した現像剤を回収するための回収路を、現像剤供給位置とは異なる位置に形成する画像形成装置。
【請求項１２】
前記搬送部は、回転軸を中心にして回転する回転体、又は変位する移動体である請求項１１記載の画像形成装置。
【請求項１３】
前記搬送部は、前記回収路を介して回収される現像剤を収容する回収現像剤収容部が設けられている請求項１１又は１２記載の画像形成装置。
【請求項１４】
前記搬送部は、前記剥離手段が剥離した所定の色の現像剤を供給した前記現像剤供給部の次に他の色の現像剤を前記現像部材に供給する前記現像剤供給部を現像剤供給位置へ搬送する前に、前記剥離手段が剥離した所定の色の現像剤を回収可能なように、前記回収路を形成する請求項１１乃至１３いずれか記載の画像形成装置。
【請求項１５】
前記搬送部は、前記複数の現像剤供給部のいずれかを現像剤供給位置へ搬送した状態では前記回収路を形成せず、前記回収路を形成した状態では前記複数の現像剤供給部のいずれも現像剤供給位置とは異なる位置へと搬送する請求項１１乃至１４いずれか記載の画像形成装置。
【請求項１６】
前記現像部材は、
現像剤を引き付ける磁石を具備し、
前記搬送部は、
前記現像剤供給部を前記磁石の磁力の作用の及ぶ範囲外に移動させることにより、前記現像剤供給部による前記現像部材への現像剤の供給を遮断する請求項１１乃至１５いずれか記載の画像形成装置。
【請求項１７】
前記現像剤供給部が前記現像部材に対して複数の異なる距離で離れて停止するように、前記搬送部を制御する制御手段をさらに有する請求項１１乃至１６いずれか記載の画像形成装置。
【請求項１８】
像保持体と、
この像保持体に現像剤を供給する現像部材と、
回転軸を中心にして回転する回転体と、
この回転体に設けられ、前記現像部材に対向する現像剤供給位置において現像剤を前記現像部材に供給する複数の現像剤供給部と、
前記現像部材が前記像保持体に供給した後に残った現像剤を前記現像部材から剥離する剥離手段と、
前記現像剤供給部の移動に伴って前記剥離手段に対向し、重力方向に対する傾きが前記回転体の回転に応じて変化することにより、前記剥離手段が剥離した現像剤を回収する複数の現像剤回収部と
を有する画像形成装置。
【請求項１９】
前記現像剤回収部は、回収した現像剤を前記回転体の回転に応じて前記現像剤供給部に供給する請求項１８記載の画像形成装置。
【請求項２０】
前記回転体に設けられ、前記複数の現像剤供給部に供給するための異なる色の現像剤を収容する複数の供給現像剤収容部をさらに有する請求項１８又は１９記載の現像装置。
【請求項２１】
前記現像剤回収部は、前記供給現像剤収容部に一体に設けられている請求項２０記載の画像形成装置。
【請求項２２】
前記供給現像剤収容部は、前記回転体に対して着脱可能にされている請求項２０又は２１記載の画像形成装置。
【請求項２３】
前記現像部材は、
現像剤を引き付ける磁石を具備し、
前記回転体は、
前記現像剤供給部を前記磁石の磁力の作用の及ぶ範囲外に移動させるように回転することにより、前記現像剤供給部による前記現像部材への現像剤の供給を遮断する請求項１８乃至２２いずれか記載の画像形成装置。
【請求項２４】
前記現像剤供給部が前記現像部材に対して複数の異なる距離で離れて停止するように、前記回転体の回転を制御する制御手段をさらに有する請求項１８乃至２３いずれか記載の画像形成装置。
【請求項２５】
像保持体上の画像を現像するための現像部材に現像剤を現像剤供給位置で供給する現像剤供給部に供給する現像剤を収容し、かつ、前記現像部材に供給する現像剤の色を変更するために前記現像剤供給部が移動する過程で、前記現像部材が前記像保持体に供給した後に残った現像剤を前記現像部材から剥離する剥離手段が剥離した現像剤を回収するための回収路を有する現像剤カートリッジ。
【発明の詳細な説明】
【技術分野】
【０００１】
本発明は、現像装置、現像剤カートリッジ及び画像形成装置に関するものである。
【背景技術】
【０００２】
特許文献１は、現像槽が現像を終了し搬送用マグネットローラが現像用マグネットローラ上の現像剤を回収した後は搬送用マグネットローラの磁極がミキシングローラから遠ざかる位置に位置するように駆動手段を作動させる現像装置を開示する。また、特許文献２は、現像剤攪拌部の上流側に、トナー補給用開口部に接続する第１のトナー補給手段を設けるとともに、現像剤回収部の上流側に、トナー補給用開口部に接続する第２のトナー補給手段を設けた現像装置を開示する。
【０００３】
【特許文献１】実公平８−５４７９号公報
【特許文献２】特開２００２−１４８９２１号公報
【発明の開示】
【発明が解決しようとする課題】
【０００４】
本発明は、１本の現像部材により、複数色の現像剤を用いて静電潜像を可視化する現像装置において、現像部材から現像剤を剥離させた後、現像部材上に残存する帯電性の低い現像剤が、現像部材への現像剤供給位置で回収されることを防止することを目的とする。
【課題を解決するための手段】
【０００５】
上記目的を達成するため、請求項１に係る本発明は、像保持体に現像剤を供給する現像部材と、異なる色の現像剤を前記現像部材に現像剤供給位置で供給する複数の現像剤供給部と、前記複数の現像剤供給部を配設され、該複数の現像剤供給部をそれぞれ現像剤供給位置へ搬送する搬送部と、前記現像部材が前記像保持体に供給した後に残った現像剤を前記現像部材から剥離する剥離手段とを有し、前記搬送部は、前記現像部材に供給する現像剤の色を変更するために前記複数の現像剤供給部を搬送する過程で、前記剥離手段が剥離した現像剤を回収するための回収路を、現像剤供給位置とは異なる位置に形成する現像装置である。
【０００６】
請求項２に係る本発明は、前記搬送部が、回転軸を中心にして回転する回転体、又は変位する移動体である請求項１記載の現像装置である。
【０００７】
請求項３に係る本発明は、前記搬送部が、前記回収路を介して回収される現像剤を収容する回収現像剤収容部が設けられている請求項１又は２記載の現像装置である。
【０００８】
請求項４に係る本発明は、前記搬送部が、前記剥離手段が剥離した所定の色の現像剤を供給した前記現像剤供給部の次に他の色の現像剤を前記現像部材に供給する前記現像剤供給部を現像剤供給位置へ搬送する前に、前記剥離手段が剥離した所定の色の現像剤を回収可能なように、前記回収路を形成する請求項１乃至３いずれか記載の現像装置である。
【０００９】
請求項５に係る本発明は、前記搬送部が、前記複数の現像剤供給部のいずれかを現像剤供給位置へ搬送した状態では前記回収路を形成せず、前記回収路を形成した状態では前記複数の現像剤供給部のいずれも現像剤供給位置とは異なる位置へと搬送する請求項１乃至４いずれか記載の現像装置である。
【００１０】
請求項６に係る本発明は、像保持体に現像剤を供給する現像部材と、回転軸を中心にして回転する回転体と、この回転体に設けられ、前記現像部材に対向する現像剤供給位置において現像剤を前記現像部材に供給する複数の現像剤供給部と、前記現像部材が前記像保持体に供給した後に残った現像剤を前記現像部材から剥離する剥離手段と、前記現像剤供給部の移動に伴って前記剥離手段に対向し、重力方向に対する傾きが前記回転体の回転に応じて変化することにより、前記剥離手段が剥離した現像剤を回収する複数の現像剤回収部とを有する現像装置である。
【００１１】
請求項７に係る本発明は、前記現像剤回収部は、回収した現像剤を前記回転体の回転に応じて前記現像剤供給部に供給する請求項６記載の現像装置である。
【００１２】
請求項８に係る本発明は、前記回転体に設けられ、前記複数の現像剤供給部に供給するための異なる色の現像剤を収容する複数の供給現像剤収容部をさらに有する請求項６又は７記載の現像装置である。
【００１３】
請求項９に係る本発明は、前記現像剤回収部は、前記供給現像剤収容部に一体に設けられている請求項８記載の現像装置である。
【００１４】
請求項１０に係る本発明は、前記供給現像剤収容部は、前記回転体に対して着脱可能にされている請求項８又は９記載の現像装置である。
【００１５】
請求項１１に係る本発明は、像保持体と、この像保持体に現像剤を供給する現像部材と、異なる色の現像剤を前記現像部材に現像剤供給位置で供給する複数の現像剤供給部と、前記複数の現像剤供給部を配設され、該複数の現像剤供給部をそれぞれ現像剤供給位置へ搬送する搬送部と、前記現像部材が前記像保持体に供給した後に残った現像剤を前記現像部材から剥離する剥離手段とを有し、前記搬送部は、前記現像部材に供給する現像剤の色を変更するために前記複数の現像剤供給部を搬送する過程で、前記剥離手段が剥離した現像剤を回収するための回収路を、現像剤供給位置とは異なる位置に形成する画像形成装置である。
【００１６】
請求項１２に係る本発明は、前記搬送部は、回転軸を中心にして回転する回転体、又は変位する移動体である請求項１１記載の画像形成装置である。
【００１７】
請求項１３に係る本発明は、前記搬送部は、前記回収路を介して回収される現像剤を収容する回収現像剤収容部が設けられている請求項１１又は１２記載の画像形成装置である。
【００１８】
請求項１４に係る本発明は、前記搬送部は、前記剥離手段が剥離した所定の色の現像剤を供給した前記現像剤供給部の次に他の色の現像剤を前記現像部材に供給する前記現像剤供給部を現像剤供給位置へ搬送する前に、前記剥離手段が剥離した所定の色の現像剤を回収可能なように、前記回収路を形成する請求項１１乃至１３いずれか記載の画像形成装置である。
【００１９】
請求項１５に係る本発明は、前記搬送部は、前記複数の現像剤供給部のいずれかを現像剤供給位置へ搬送した状態では前記回収路を形成せず、前記回収路を形成した状態では前記複数の現像剤供給部のいずれも現像剤供給位置とは異なる位置へと搬送する請求項１１乃至１４いずれか記載の画像形成装置である。
【００２０】
請求項１６に係る本発明は、前記現像部材は、現像剤を引き付ける磁石を具備し、前記搬送部は、前記現像剤供給部を前記磁石の磁力の作用の及ぶ範囲外に移動させることにより、前記現像剤供給部による前記現像部材への現像剤の供給を遮断する請求項１１乃至１５いずれか記載の画像形成装置である。
【００２１】
請求項１７に係る本発明は、前記現像剤供給部が前記現像部材に対して複数の異なる距離で離れて停止するように、前記搬送部を制御する制御手段をさらに有する請求項１１乃至１６いずれか記載の画像形成装置である。
【００２２】
請求項１８に係る本発明は、像保持体と、この像保持体に現像剤を供給する現像部材と、回転軸を中心にして回転する回転体と、この回転体に設けられ、前記現像部材に対向する現像剤供給位置において現像剤を前記現像部材に供給する複数の現像剤供給部と、前記現像部材が前記像保持体に供給した後に残った現像剤を前記現像部材から剥離する剥離手段と、前記現像剤供給部の移動に伴って前記剥離手段に対向し、重力方向に対する傾きが前記回転体の回転に応じて変化することにより、前記剥離手段が剥離した現像剤を回収する複数の現像剤回収部とを有する画像形成装置である。
【００２３】
請求項１９に係る本発明は、前記現像剤回収部は、回収した現像剤を前記回転体の回転に応じて前記現像剤供給部に供給する請求項１８記載の画像形成装置である。
【００２４】
請求項２０に係る本発明は、前記回転体に設けられ、前記複数の現像剤供給部に供給するための異なる色の現像剤を収容する複数の供給現像剤収容部をさらに有する請求項１８又は１９記載の現像装置である。
【００２５】
請求項２１に係る本発明は、前記現像剤回収部は、前記供給現像剤収容部に一体に設けられている請求項２０記載の画像形成装置である。
【００２６】
請求項２２に係る本発明は、前記供給現像剤収容部は、前記回転体に対して着脱可能にされている請求項２０又は２１記載の画像形成装置である。
【００２７】
請求項２３に係る本発明は、前記現像部材は、現像剤を引き付ける磁石を具備し、前記回転体は、前記現像剤供給部を前記磁石の磁力の作用の及ぶ範囲外に移動させるように回転することにより、前記現像剤供給部による前記現像部材への現像剤の供給を遮断する請求項１８乃至２２いずれか記載の画像形成装置である。
【００２８】
請求項２４に係る本発明は、前記現像剤供給部が前記現像部材に対して複数の異なる距離で離れて停止するように、前記回転体の回転を制御する制御手段をさらに有する請求項１８乃至２３いずれか記載の画像形成装置である。
【００２９】
請求項２５に係る本発明は、像保持体上の画像を現像するための現像部材に現像剤を現像剤供給位置で供給する現像剤供給部に供給する現像剤を収容し、かつ、前記現像部材に供給する現像剤の色を変更するために前記現像剤供給部が移動する過程で、前記現像部材が前記像保持体に供給した後に残った現像剤を前記現像部材から剥離する剥離手段が剥離した現像剤を回収するための回収路を有する現像剤カートリッジである。
【発明の効果】
【００３０】
請求項１に係る本発明によれば、現像部材からの現像剤の剥離後、現像部材に残存した帯電性の低い現像剤を、現像剤供給位置とは異なる位置で回収することができる。
【００３１】
請求項２に係る本発明によれば、請求項１に係る本発明の効果に加えて、搬送部を回転体又は移動体によって容易に構成することができる。
【００３２】
請求項３に係る本発明によれば、請求項１又は２に係る本発明の効果に加えて、搬送部の外部に回収現像剤収容部を設ける必要がない。
【００３３】
請求項４に係る本発明によれば、請求項１乃至３いずれかに係る本発明の効果に加えて、剥離した現像剤を回収した後、次の色の現像剤供給までの時間を短くすることができる。
【００３４】
請求項５に係る本発明によれば、請求項１乃至４いずれかに係る本発明の効果に加えて、現像剤供給位置にある現像剤供給部に現像剤が回収されることを防止することができる。
【００３５】
請求項６に係る本発明によれば、現像部材からの現像剤の剥離後、現像部材に残存した帯電性の低い現像剤を回収することができる。
【００３６】
請求項７に係る本発明によれば、請求項６に係る本発明の効果に加えて、現像剤回収部が回収した現像剤を再利用することができる。
【００３７】
請求項８に係る本発明によれば、請求項６又は７に係る本発明の効果に加えて、本構成を有していない場合に比較して、現像剤の取り扱いを容易にすることができる。
【００３８】
請求項９に係る本発明によれば、請求項８に係る本発明の効果に加えて、本構成を有していない場合に比較して、現像装置の構成を簡易にすることができる。
【００３９】
請求項１０に係る本発明によれば、請求項８又は９に係る本発明の効果に加えて、本構成を有していない場合に比較して、現像部材に供給するための現像剤の取り扱いを容易にすることができる。
【００４０】
請求項１１に係る本発明によれば、現像部材からの現像剤の剥離後、現像部材に残存した帯電性の低い現像剤を、現像剤供給位置とは異なる位置で回収することができる。
【００４１】
請求項１２に係る本発明によれば、請求項１１に係る本発明の効果に加えて、搬送部を回転体又は移動体によって容易に構成することができる。
【００４２】
請求項１３に係る本発明によれば、請求項１１又は１２に係る本発明の効果に加えて、搬送部の外部に回収現像剤収容部を設ける必要がない。
【００４３】
請求項１４に係る本発明によれば、請求項１１乃至１３いずれかに係る本発明の効果に加えて、剥離した現像剤を回収した後、次の色の現像剤供給までの時間を短くすることができる。
【００４４】
請求項１５に係る本発明によれば、請求項１１乃至１４いずれかに係る本発明の効果に加えて、現像剤供給位置にある現像剤供給部に現像剤が回収されることを防止することができる。
【００４５】
請求項１６に係る本発明によれば、請求項１１乃至１５いずれかに係る本発明の効果に加えて、遮蔽板の追加、又は搬送部の搬送方向以外への退避機構等の追加をすることなく、現像部材への現像剤の供給を遮断することができる。
【００４６】
請求項１７に係る本発明によれば、請求項１１乃至１６いずれかに係る本発明の効果に加えて、一連の画像形成プロセス中に、現像剤供給部が現像部材に現像剤を供給可能な位置と、剥離手段が現像剤を剥離可能な位置とを、特別な機構部品・構成を加えることなく、搬送部の制御によって行うことができる。
【００４７】
請求項１８に係る本発明によれば、現像部材からの現像剤の剥離後、現像部材に残存した帯電性の低い現像剤を回収することができる。
【００４８】
請求項１９に係る本発明によれば、請求項１８に係る本発明の効果に加えて、現像剤回収部が回収した現像剤を再利用することができる。
【００４９】
請求項２０に係る本発明によれば、請求項１８又は１９に係る本発明の効果に加えて、本構成を有していない場合に比較して、現像剤の取り扱いを容易にすることができる。
【００５０】
請求項２１に係る本発明によれば、請求項２０に係る本発明の効果に加えて、本構成を有していない場合に比較して、画像形成装置の構成を簡易にすることができる。
【００５１】
請求項２２に係る本発明によれば、請求項２０又は２１に係る本発明の効果に加えて、本構成を有していない場合に比較して、現像部材に供給するための現像剤の取り扱いを容易にすることができる。
【００５２】
請求項２３に係る本発明によれば、請求項１８乃至２２いずれかに係る本発明の効果に加えて、回転体の作動範囲において、現像部材の磁力の影響の及ぶ範囲外の位置に現像剤供給部を移動させることにより、遮蔽板の追加、回転体の回転方向以外（例えば法線方向）への現像剤供給部の退避機構等の構成を追加することなく、現像部材への現像剤の供給を遮断することができる。
【００５３】
請求項２４に係る本発明によれば、請求項１８乃至２３いずれかに係る本発明の効果に加えて、一連の画像形成プロセス中に、現像部材に現像剤を供給可能な位置と、現像部材からの現像剤の剥離可能な位置を、特別な機構部品・構成を加えることなく、回転体の位置制御によって決めることができる。
【００５４】
請求項２５に係る本発明によれば、現像部材からの現像剤の剥離後、現像剤供給位置とは異なる位置で回収された、帯電性の低い現像剤を現像剤カートリッジ内の空間を利用して回収可能となる。
【発明を実施するための最良の形態】
【００５５】
次に本発明の第１の実施形態を図面に基づいて説明する。
図１において、本発明の第１の実施形態に係る画像形成装置１０の概要が示されている。画像形成装置１０は、画像形成装置本体１２を有し、この画像形成装置本体１２の背面側（図１において右側）に例えば１段の給紙ユニット１４が配置されている。
【００５６】
給紙ユニット１４は、用紙が収容される給紙カセット１６を有する。給紙カセット１６の上部には、給紙カセット１６から用紙を取り出す取り出しロール１８が配置され、この取り出しロール１８の前方に供給ロール２０及び捌きロール２２が配置されている。
【００５７】
供給ロール２０は、図示しない駆動部によって駆動され、用紙を後述する搬送路２４に向けて供給するように回転する。捌きロール２２は、供給ロール２０に対して圧接され、供給ロール２０の回転に応じて回転可能にされており、供給ロール２０とともに用紙を１枚ずつ後述する搬送路２４に向けて供給するように回転する。
【００５８】
搬送路２４は、供給ロール２０から排出口２６までの用紙通路であり、この搬送路２４は、画像形成装置本体１２の上部にあって、給紙ユニット１４から排出口２６まで略水平に形成されている。この搬送路２４の定着装置２８の上流側に後述する二次転写ロール６０と二次転写バックアップロール５４とが配置され、二次転写ロール６０と二次転写バックアップロール５４の上流側にレジストロール３０が配置されている。また、搬送路２４の排出口２６の近傍には排出ロール３２が配置されている。
【００５９】
したがって、給紙ユニット１４の給紙カセット１６から取り出しロール１８により取り出された用紙は、供給ロール２０及び捌きロール２２により捌かれて最上部の用紙のみ搬送路２４に導かれ、レジストロール３０により一時停止され、タイミングをとって後述する二次転写ロール６０と二次転写バックアップロール５４との間を通って現像剤像が転写され、この転写された現像剤像が定着装置２８により定着され、排出ロール３２により排出口２６から排出される。
【００６０】
画像形成装置本体１２には、例えば略中央部に現像装置３４が配置されている。現像装置３４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤により、後述する像保持体３６が保持する静電潜像を可視化する。
【００６１】
現像装置３４には、例えば感光体からなる像保持体３６が画像形成装置１０の正面側上方から当接するように配置されている。像保持体３６の背面側には、該像保持体３６を一様帯電する例えば帯電ロールからなる帯電装置３８が設けられている。つまり像保持体３６には、現像バイアスがかけられている。また、像保持体３６には、該像保持体３６の回転方向の帯電装置３８よりも上流側に像保持体用クリーナ４０が当接している。像保持体用クリーナ４０は、例えば一次転写後に像保持体３６に残留する現像剤を掻き取る。
【００６２】
現像装置３４の上方には、帯電装置３８により帯電された像保持体３６に、レーザ光などの光線により潜像を書き込む露光装置４２が配置されている。また、像保持体３６の正面側には、現像装置３４によって可視化された現像剤像を一次転写位置で一次転写され、後述する二次転写位置まで搬送する中間転写装置４４が設けられている。
【００６３】
中間転写装置４４は、例えば中間転写ベルトなどの中間転写体４６、一次転写ロール４８、支持ロール５０，５２、二次転写バックアップロール５４、テンションロール５６，５８から構成される。中間転写体４６は、一次転写ロール４８の上流に配置された支持ロール５０と、一次転写ロール４８の下流に配置された支持ロール５２との間で像保持体３６にラップ状に当接する一次転写部を有し、像保持体３６に所定の範囲だけ巻きついて、像保持体３６の回転に従って回転する。テンションロール５６，５８は、中間転写体４６に所定の張力を与えている。そして、中間転写体４６は、一次転写ロール４８によって像保持体３６上の現像剤像を例えばイエロー、マゼンタ、シアン、黒の順に重ねて一次転写され、この一次転写された現像剤像を後述する二次転写ロール６０に向けて搬送する。
【００６４】
中間転写装置４４の二次転写バックアップロール５４には、搬送路２４を挟んで二次転写ロール６０が配置されている。つまり、二次転写ロール６０と二次転写バックアップロール５４との間が二次転写位置となっており、二次転写ロール６０は、二次転写バックアップロール５４の補助により、中間転写体４６に一次転写された現像剤像を二次転写位置で用紙に二次転写する。ここで、二次転写ロール６０は、中間転写体４６が３回転する間、すなわちイエロー、マゼンタ、シアンの３色の現像剤像を搬送する間は中間転写体４６から離間しており、黒の現像剤像が転写されると中間転写体４６に当接するようにされている。なお、二次転写ロール６０と二次転写バックアップロール５４との間には、所定の電位差が生じるようにされており、例えば二次転写ロール６０を高電圧にした場合には、二次転写バックアップロール５４はグランド（ＧＮＤ）などに接続される。
【００６５】
搬送路２４の二次転写位置の下流には、定着装置２８が配置されている。定着装置２８は、加熱ロールと加圧ロールとを有し、二次転写ロール６０及び二次転写バックアップロール５４により用紙に二次転写された現像剤像を用紙に定着させ、排出ロール３２に向けて搬送する。
【００６６】
また、画像形成装置１０の内部には、画像形成装置１０を構成する各部を制御する制御部６２が設けられている。
【００６７】
次に現像装置３４について詳述する。
図２乃至図４において、現像装置３４の詳細が示されている。現像装置３４は、回転体（搬送部）６６、現像ロール６８、層厚規制部材７０、現像ロール収容壁７４、剥離部材７６、トナーカートリッジ（供給現像剤収容部）７８ａ〜７８ｄ及び現像剤供給部８０ａ〜８０ｄを有する。
以下、現像剤供給部８０ａ〜８０ｄなど複数ある構成部分のいずれかを特定せずに示す場合には、単に「現像剤供給部８０」などと略記することがある。
【００６８】
回転体６６は、イエロー（Ｙｅｌｌｏｗ）、マゼンタ（Ｍａｇｅｎｔａ）、シアン（Ｃｙａｎ）及び黒（Ｂｌａｃｋ）の現像剤を現像ロール６８に順次に供給するためのトナーカートリッジ７８ａ〜７８ｄ及び現像剤供給部８０ａ〜８０ｄが着脱自在に設けられており、回転軸８２を中心として例えば反時計回り（図２において左回り）に回転可能にされ、現像剤供給部８０ａ〜８０ｄが現像ロール６８に対向する位置（現像剤供給位置）へ移動するようにされている。
なお、現像剤供給部８０ａ〜８０ｄが収容している現像剤は、例えば非磁性のトナー及び磁性のキャリアを有する２成分現像剤である。
【００６９】
トナーカートリッジ７８は、図３にも示すように、未使用のトナーを収容する未使用トナー収容部８４と、剥離部材７６が現像ロール６８から剥離した（回収した）現像剤を回収する現像剤回収部８６から構成される。未使用トナー収容部８４には、未使用トナーを現像剤供給部８０に供給する供給口８７が設けられている。現像剤回収部８６には、剥離部材７６が剥離した現像剤を回収するための開口部８８と、この開口部８８を開閉する開閉部材９０と、回収した現像剤を現像剤供給部８０へ排出（供給）する排出口９２とが設けられている。
【００７０】
現像剤供給部８０は、図４にも示すように、供給器本体９４、第１の攪拌搬送部材９６及び第２の攪拌搬送部材９８から構成される。供給器本体９４は、トナーカートリッジ７８からトナーを受け入れる第１の受入口１００、現像剤回収部８６が回収した現像剤を受け入れる第２の受入口１０２、及び現像ロール６８に現像剤を供給する開口部１０４が設けられている。第１の攪拌搬送部材９６は、トナーカートリッジ７８から供給されたトナー、及び現像剤回収部８６から受け入れた現像剤を攪拌しつつ第２の攪拌搬送部材９８へ向けて搬送する。第２の攪拌搬送部材９８は、現像剤を攪拌するとともに、回転体６６が回転することによって開口部１０４が現像ロール６８に対向する位置へ移動した場合に現像剤を現像ロール６８に供給する。つまり、現像剤回収部８６が回収した現像剤は、現像ロール６８に供給される現像剤として再利用される。
なお、現像剤は、第１の攪拌搬送部材９６及び第２の攪拌搬送部材９８によって攪拌されつつ供給器本体９４内で循環し、磁性キャリアの周囲に非磁性トナーが付着するようにされている。
【００７１】
現像ロール６８（図２）は、軸方向に延びたＮ極及びＳ極を複数備えて固定された磁石部材１１０と、この磁石部材１１０を内部に収容して回転し、該磁石部材１１０の磁力に応じて現像剤を周方向に搬送するスリーブなどの円筒状部材１１２とを有する。磁石部材１１０には、像保持体３６に対向して配置されて現像ロール６８上の現像剤を像保持体３６へ供給する磁極（現像極）と、現像剤供給部８０から現像剤を引き付ける磁極（ピックアップ極）が現像剤供給部８０側上部などに配置され、現像剤を反発させる磁極（ピックオフ極）が現像剤供給部８０側下部などに配置されている。また、現像ロール６８は、像保持体３６に対向する部分が露出するように開口された現像ロール収容壁７４内に収容されており、像保持体３６との間に所定の隙間を形成しつつ、磁力によって保持したそれぞれの色の現像剤を像保持体３６に供給する。
【００７２】
層厚規制部材７０は、現像ロール６８の表面に付着した（現像ロール６８が保持した）現像剤の層厚を規制する。現像ロール収容壁７４は、現像剤を現像剤供給部８０へ案内する案内部１１８が形成されている。
【００７３】
剥離部材７６は、現像ロール６８に対して略平行に設けられた回転軸１１４と、制御部６２の制御により回転軸１１４を中心にして時計回り（図２において右回り）に回転する例えば希土類の磁石１１６とを有し、現像ロール６８が像保持体３６に供給した後に残った現像剤を、現像ロール６８から磁力によって剥離し、上述した案内部１１８を介して現像剤を現像剤供給部８０へと導く。
【００７４】
図５は、現像ロール６８に残存する現像剤（剥離位置周辺の現像剤を含む）を磁石１１６が剥離する状態を示す拡大図である。図５（Ａ）に示すように、現像ロール６８の下方に現像ロール収容壁７４を介して配設される剥離部材７６が回転して磁石１１６が現像ロール６８に近づくと、磁石１１６は現像剤を案内部１１８側に引き付ける。また、図５（Ｂ）に示すように、また、剥離部材７６が回転して磁石１１６が現像ロール６８から離れ始めると、現像剤は磁石１１６の磁力によって現像ロール６８から剥離される。また、図５（Ｃ）に示すように、剥離部材７６がさらに回転して磁石１１６が現像ロール６８からさらに離れると、現像剤は磁石１１６の磁力によって引き付けられつつ、案内部１１８に沿って下方に移動し、上記磁力が及ばなくなる領域で更に下方に落下する。  ここで、案内部１１８は、剥離部材７６と現像剤とを隔てる隔壁となっており、磁石１１６が現像ロール６８に近づいた位置から遠ざかるにつれて、現像ロール６８及び磁石１１６それぞれに対する距離が大きくなる領域を有するように形成されている。
【００７５】
このように、磁石１１６は、剥離部材７６が現像剤を剥離する場合には、現像ロール６８が保持する現像剤に磁石１１６の磁力が作用するように磁石１１６が現像ロール６８側に近づき、剥離部材７６が現像剤を剥離した後には、剥離した現像剤を現像ロール６８から隔離するように磁石１１６が現像ロール６８から遠ざかるよう回転移動（図５において右回り）する。
なお、制御部６２は、現像装置３４が静電潜像を可視化する場合には、現像ロール６８が保持する現像剤に対して磁石１１６の磁力の作用が低下する位置（現像ロール６８の反対側）に磁石１１６を停止させる。そして、制御部６２は、回転体６６を回転させることによって現像剤の供給を遮断した後に、現像ロール６８が保持する現像剤に磁石１１６の磁力が作用するように磁石１１６を回転移動させる。
【００７６】
次に現像装置３４の動作例について説明する。
図６において、現像装置３４の動作例の概要が示されている。図６（Ａ）に示すように、現像装置３４が例えばマゼンタの現像剤で静電潜像を可視化する場合、現像ロール６８は、現像剤供給位置に位置する現像剤供給部８０ｂから供給されるマゼンタの現像剤を保持して回転する。
【００７７】
マゼンタの現像剤での可視化が終了すると、現像装置３４は、図６（Ｂ）に示すように、制御部６２の制御により、回転体６６が回転（９０°未満）することによって開閉部材９０（図３参照）を開くとともに、現像剤供給部８０ｂが現像ロール６８の現像剤供給磁極の磁力の作用する範囲外に移動して現像剤供給部８０ｂから現像ロール６８へのマゼンタの現像剤の供給を遮断し、開口部８８が現像ロール６８と案内部１１８との間を覆うように位置した状態で停止する。つまり、現像ロール６８から剥離される現像剤を回収する回収路が形成されている。
【００７８】
開口部８８が現像ロール６８と案内部１１８との間で停止すると、現像装置３４は、図６（Ｃ）に示すように、制御部６２の制御により、剥離部材７６が回転し、現像ロール６８が保持するマゼンタの現像剤を剥離する。
【００７９】
現像ロール６８から剥離されたマゼンタの現像剤は、図６（Ｄ）に示すように、磁石１１６が案内部１１８から遠ざかることにより、案内部１１８によって現像剤回収部８６へ案内される。
【００８０】
図６（Ｅ）に示すように、磁石１１６がさらに回転することにより、現像ロール６８から剥離されたマゼンタの現像剤は、現像剤回収部８６内に（一時的に）回収される。
【００８１】
現像ロール６８から剥離されたマゼンタの現像剤が回収されると、図６（Ｆ）に示すように、現像装置３４は、シアンの現像剤で静電潜像を可視化するために、現像剤供給部８０ｃが現像ロール６８に対向するように回転体６６が回転する。ここで、現像ロール６８は、現像剤供給部８０ｃから供給されるシアンの現像剤を保持して回転する。
一方、トナーカートリッジ７８ｂは、開閉部材９０（図３参照）が閉じられて、回収したマゼンタの現像剤が現像剤回収部８６内に収容されたままになっている。
【００８２】
現像装置３４は、カラー印刷時には、イエローの現像剤で静電潜像を可視化した後に、上述したようにマゼンタ及びシアンの現像剤で静電潜像を可視化し、その後に黒の現像剤で静電潜像を可視化するようにされている。
そして、現像装置３４は、再びマゼンタの現像剤で静電潜像を可視化する場合に、制御部６２の制御によって現像剤供給部８０ｂが現像ロール６８に対向するように回転体６６が回転する。ここで、現像剤回収部８６は、回転体６６の回転によって重力方向に対する傾きが変化する。図６（Ｇ）に示すように、回転体６６の回転により、排出口９２（図３参照）が下方に位置するように現像剤回収部８６の重力方向に対する傾きが変化すると、現像剤回収部８６に回収されたマゼンタの現像剤が現像剤供給部８０ｂへ供給される（マゼンタの現像剤が自重によって現像剤供給部８０ｂへ戻される）。
【００８３】
次に本発明の第１の実施形態の作用について説明する。
画像形成信号が送られると、像保持体３６が帯電装置３８により一様に帯電され、この帯電された像保持体３６には、画像信号に基づいて露光装置４２から光線が出射される。露光装置４２からの光線は、像保持体３６の表面を露光し、静電潜像が形成される。
【００８４】
像保持体３６に保持された静電潜像は、現像剤の色ごとに現像装置３４により現像され、中間転写体４６に一次転写される。そして、中間転写体４６上で各色の現像剤像が重ね合わされて、カラー画像が形成される。
ここで、現像ロール６８には、現像剤供給部８０ａ〜８０ｄからイエロー、マゼンタ、シアン及び黒の現像剤がそれぞれ供給される。そして、現像ロール６８に過剰に供給された現像剤は、現像ロール６８に次の色の現像剤が供給される前に同じ色の現像剤供給部８０に回収される。一次転写において、像保持体３６に残留する廃現像剤は、像保持体用クリーナ４０によって掻き取られ、回収される。
【００８５】
一方、給紙信号等により、給紙カセット１６に収容された用紙は、取り出しロール１８により取り出され、供給ロール２０及び捌きロール２２により捌かれて最上部の用紙のみ搬送路２４に導かれ、レジストロール３０により一次停止され、タイミングをとって二次転写ロール６０と二次転写バックアップロール５４との間に導かれる。用紙が二次転写ロール６０と二次転写バックアップロール５４との間に導かれると、中間転写体４６に一次転写されている現像剤像が二次転写ロール６０と二次転写バックアップロール５４とによって用紙に二次転写される。
【００８６】
現像剤像を転写された用紙は、定着装置２８に導かれ、加熱ロールと加圧ロールとによって現像剤像を定着される。現像剤像が定着した用紙は、排出ロール３２により排出口２６から排出される。
【００８７】
次に本発明の第２の実施形態を図面に基づいて説明する。
図７において、本発明の第２の実施形態に係る画像形成装置２１０の概要が示されている。画像形成装置２１０は、画像形成装置本体２１２を有し、この画像形成装置本体２１２の下部に例えば１段の給紙ユニット２１４が配置されている。
【００８８】
給紙ユニット２１４は、用紙が収容される給紙カセット２１６を有する。給紙カセット２１６の上部には、給紙カセット２１６から用紙を取り出す取り出しロール２１８が配置され、この取り出しロール２１８の前方に供給ロール２２０及び捌きロール２２２が配置されている。
【００８９】
供給ロール２２０は、図示しない駆動部によって駆動され、用紙を後述する搬送路２２４に向けて供給するように回転する。捌きロール２２２は、供給ロール２２０に対して圧接され、供給ロール２２０の回転に応じて回転可能にされており、供給ロール２２０とともに用紙を１枚ずつ後述する搬送路２２４に向けて供給するように回転する。
【００９０】
搬送路２２４は、供給ロール２２０から排出口２２６までの用紙通路であり、この搬送路２２４は、画像形成装置本体２１２の背面側（図７において左側）にあって、給紙ユニット２１４から排出口２２６まで略垂直に延びる部分を有する。この搬送路２２４の定着装置２２８の上流側に後述する像保持体２３６と転写ロール２６０とが配置され、像保持体２３６と転写ロール２６０の上流側にレジストロール２３０が配置されている。また、搬送路２２４の排出口２２６の近傍には排出ロール２３２が配置されている。
【００９１】
したがって、給紙ユニット２１４の給紙カセット２１６から取り出しロール２１８により取り出された用紙は、供給ロール２２０及び捌きロール２２２により捌かれて最上部の用紙のみ搬送路２２４に導かれ、レジストロール２３０により一時停止され、タイミングをとって後述する像保持体２３６と転写ロール２６０との間を通って例えば黒色の現像剤像が転写され、この転写された黒色の現像剤像が定着装置２２８により定着され、排出ロール２３２により排出口２２６から排出される。
【００９２】
ただし、カラー印刷の場合は、用紙は反復路に３回戻される。即ち、搬送路２２４の排出ロール２３２の手前は二股に分かれ、その分かれた部分に切換装置２４６が設けられていると共に、分けられた部分からレジストロール２３０まで戻る反復路２４８が形成されている。この反復路２４８には搬送ロール２５０，２５２，２５４，２５６が設けられており、カラー印刷の場合には、切換装置２４６が反復路２４８を開く側に切り換えられ、用紙が反復路２４８に導かれ、レジストロール２３０、像保持体２３６と転写ロール２６０との間及び定着装置２２８を合計４回通って排出口２２６から排出されるものである。
【００９３】
画像形成装置本体１２には、例えば略中央部に現像装置２３４が配置されている。現像装置２３４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤により、後述する像保持体２３６が保持する静電潜像を可視化する。なお、現像装置２３４は、回転体２６６、現像ロール２６８、層厚規制部材２７０、現像ロール収容壁２７４、剥離部材２７６、トナーカートリッジ（図示せず）及び現像剤供給部２８０ａ〜２８０ｄなどを含み、図２に示した現像装置３４と実質的に同一の構成を有する。
【００９４】
現像装置２３４には、例えば感光体からなる像保持体２３６が画像形成装置２１０の背面側上方から当接するように配置されている。像保持体２３６の正面側には、該像保持体２３６を一様帯電する例えば帯電ロールからなる帯電装置２３８が設けられている。つまり像保持体２３６には、現像バイアスがかけられている。また、像保持体２３６には、該像保持体２３６の回転方向の帯電装置２３８よりも上流側に像保持体用クリーナ２４０が当接している。像保持体用クリーナ２４０は、転写後に像保持体２３６に残留する現像剤を掻き取る。
【００９５】
現像装置２３４の上方には、帯電装置２３８により帯電された像保持体２３６に、レーザ光などの光線により静電潜像を書き込む露光装置２４２が配置されている。また、像保持体２３６の背面側には、現像装置２３４によって可視化された現像剤像を転写位置で用紙に転写する転写ロール２６０が設けられている。
【００９６】
搬送路２２４の転写位置の下流には、定着装置２２８が配置されている。定着装置２２８は、加熱ロールと加圧ロールとを有し、像保持体２３６と転写ロール２６０により用紙に転写された現像剤像を用紙に定着させて搬送する。
【００９７】
また、画像形成装置２１０の内部には、画像形成装置２１０を構成する各部を制御する制御部２６２が設けられている。
【００９８】
次に本発明の第２の実施形態の作用（カラー印刷）について説明する。
画像形成信号が送られると、像保持体２３６が帯電装置２３８により一様に帯電され、この帯電された像保持体２３６には、画像信号に基づいて露光装置２４２からイエローの画像に対応する光線が出射される。露光装置２４２からの光線は、像保持体２３６の表面を露光し、静電潜像が形成される。
【００９９】
像保持体２３６に保持された静電潜像は、現像装置２３４の現像ロール６８に供給されるイエローの現像剤で現像され、給紙ユニット２１４から給紙される用紙に転写される。イエローの現像剤像を転写された用紙は、定着装置２２８に導かれ、加熱ロールと加圧ロールとによって現像剤像を定着される。イエローの現像剤像が定着した用紙は、切換装置２４６によって反復路２４８に戻される。
【０１００】
現像ロール２６８が保持する（現像ロール２６８に残留する）現像剤は、剥離部材２７６によって剥離され、現像剤収容器２８０ａに回収される。そして、現像装置２３４の現像装置本体２６６が回転することにより、マゼンタの現像剤が現像ロール２６８に供給され、像保持体２３６が帯電装置２３８により一様に帯電され、この帯電された像保持体２３６には、画像信号に基づいて露光装置２４２からマゼンタの画像に対応する光線が出射される。露光装置２４２からの光線は、像保持体２３６の表面を露光し、静電潜像が形成される。
【０１０１】
像保持体２３６に保持された静電潜像は、現像装置２３４の現像ロール２６８に供給されたマゼンタの現像剤で現像され、用紙に転写される。マゼンタの現像剤像を転写された用紙は、定着装置２２８に導かれ、加熱ロールと加圧ロールとによって現像剤像を定着される。マゼンタの現像剤像が定着した用紙は、切換装置２４６によって反復路２４８に戻される。
現像ロール２６８が保持する（現像ロール２６８に残留する）現像剤は、剥離部材２７６によって剥離され、現像剤収容器２８０ｂに回収される。
【０１０２】
用紙が反復路２４８に合計３回戻されることによって、イエロー及びマゼンタの現像剤像と同様に、シアン及び黒の現像剤により現像された現像剤像が定着装置２２８によって用紙に定着されると、用紙上で現像剤像が重ね合わされたカラー画像が形成される。カラー画像が定着した用紙は、切換装置２４６によって排出ロール２３２に導かれて排出される。
【０１０３】
次に、現像装置３４の第１の変形例について説明する。
図８は、現像装置３４の第１の変形例を示す側面図である。なお、現像装置３４の第１の変形例において、図２に示した現像装置３４を構成する部分と実質的に同一のものには、同一の符号が付してある。
図８に示すように、現像剤供給部８０には、現像剤の流出を防止するための開閉部材３００と、現像ロール６８に残留する現像剤を掻き取る掻き取り部材３０２とが設けられている。
【０１０４】
図９は、現像装置３４の第１の変形例の動作例を示す概略図である。図９（Ａ）に示すように、現像装置３４が例えばマゼンタの現像剤で静電潜像を可視化する場合、現像ロール６８は、現像剤供給位置に位置する現像剤供給部８０ｂから供給されるマゼンタの現像剤を保持して回転する。
ここで、現像ロール６８の表面と、第２の攪拌搬送部材９８の軸表面との距離は、例えば約６．５ｍｍにされている。
【０１０５】
マゼンタの現像剤での可視化が終了すると、現像装置３４は、図９（Ｂ）に示すように、制御部６２の制御により、回転体６６が２０度回転することによって現像剤供給部８０ｂの開閉部材３００が移動するとともに、掻き取り部材３０２が現像ロール６８の表面に接触し、現像ロール６８に残留する現像剤を掻き取る。掻き取り部材３０２が掻き取った現像剤は、現像剤供給位置とは異なる位置で供給器本体９４内に回収される。
ここで、現像ロール６８の表面と、第２の攪拌搬送部材９８の軸表面との距離は、例えば約１１ｍｍに広げられており、現像剤供給部８０から現像ロール６８への現像剤の供給が遮断されている。
【０１０６】
現像ロール６８から剥離されたマゼンタの現像剤が回収されると、図９（Ｃ）に示すように、現像装置３４は、シアンの現像剤で静電潜像を可視化するために、現像剤供給部８０ｃが現像ロール６８に対向するように回転体６６が７０度回転する。ここで、現像ロール６８は、現像剤供給部８０ｃから供給されるシアンの現像剤を保持して回転する。
【０１０７】
次に、現像装置３４の第２の変形例について説明する。
図１０は、現像装置３４の第２の変形例を示す側面図である。なお、現像装置３４の第２の変形例において、図２に示した現像装置３４を構成する部分と実質的に同一のものには、同一の符号が付してある。
図１０に示すように、現像剤供給部８０には、現像剤の流出を防止するための開閉部材３００が設けられている。また、例えば回転体６６には、現像ロール６８に残留する現像剤を掻き取る掻き取り部材３０４が設けられている。
【０１０８】
図１１は、現像装置３４の第２の変形例の動作例を示す概略図である。図１１（Ａ）に示すように、現像装置３４が例えばマゼンタの現像剤で静電潜像を可視化する場合、現像ロール６８は、現像剤供給位置に位置する現像剤供給部８０ｂから供給されるマゼンタの現像剤を保持して回転する。
ここで、現像ロール６８の表面と、第２の攪拌搬送部材９８の軸表面との距離は、例えば約６．５ｍｍにされている。
【０１０９】
マゼンタの現像剤での可視化が終了すると、現像装置３４は、図１１（Ｂ）に示すように、制御部６２の制御により、回転体６６が例えば５３度回転することによって現像剤供給部８０ｂの開閉部材３００が閉じられるとともに、掻き取り部材３０４が現像ロール６８の表面に接触し、現像ロール６８に残留する現像剤を掻き取る。掻き取り部材３０４が掻き取った現像剤は、現像剤供給位置とは異なる位置でトナーカートリッジ７８に回収される。
ここで、現像ロール６８の表面と、第２の攪拌搬送部材９８の軸表面との距離は、例えば約２０ｍｍに広げられており、現像剤供給部８０から現像ロール６８への現像剤の供給が遮断されている。
【０１１０】
現像ロール６８から剥離されたマゼンタの現像剤が回収されると、図１１（Ｃ）に示すように、現像装置３４は、シアンの現像剤で静電潜像を可視化するために、現像剤供給部８０ｃが現像ロール６８に対向するように回転体６６が３７度回転する。ここで、現像ロール６８は、現像剤供給部８０ｃから供給されるシアンの現像剤を保持して回転する。
【０１１１】
次に、現像装置３４の第３の変形例について説明する。
図１２は、現像装置３４の第３の変形例を示す側面図である。なお、現像装置３４の第３の変形例において、図２に示した現像装置３４を構成する部分と実質的に同一のものには、同一の符号が付してある。
図１２に示すように、現像剤供給部８０には、現像剤の流出を防止するための開閉部材３０６と、現像ロール６８から回収した現像剤を案内する案内部材３０８とが設けられている。
ここで、現像剤供給部８０ａ〜８０ｄ及びトナーカートリッジ７８ａ〜７８ｄは、エレベータ（移動体）３１０によって昇降するようにされるとともに、所定の位置で現像ロール６８に向けて略水平に移動するようにされている。
【０１１２】
図１３は、現像装置３４の第３の変形例の動作例を示す概略図である。図１３（Ａ）に示すように、現像装置３４が例えばイエローの現像剤で静電潜像を可視化する場合、現像ロール６８は、現像剤供給位置に位置する現像剤供給部８０ｂから供給されるイエローの現像剤を保持して回転する。
【０１１３】
イエローの現像剤での可視化が終了すると、現像装置３４は、図１３（Ｂ）に示すように、制御部６２の制御により、エレベータ３１０が下降することによって現像ロール６８への現像剤の供給が遮断され、案内部１１８と案内部材３０８とが現像剤案内路を形成するとともに、開閉部材３０６ａが閉じられる。つまり、現像ロール６８から剥離される現像剤を回収する回収路が形成されている。
【０１１４】
現像剤を回収する回収路が形成されると、現像装置３４は、図１３（Ｃ）に示すように、制御部６２の制御により、剥離部材７６が回転し、現像ロール６８が保持するイエローの現像剤を剥離する。
【０１１５】
現像ロール６８から剥離されたイエローの現像剤は、図１３（Ｄ）に示すように、磁石１１６が案内部１１８から遠ざかることにより、案内部材３０８によって現像剤供給位置とは異なる位置で供給器本体９４内に回収される。
【０１１６】
図１３（Ｅ）に示すように、磁石１１６がさらに回転することにより、現像ロール６８から剥離されたイエローの現像剤は、供給器本体９４内へ全て回収される。
【０１１７】
図１３（Ｆ）に示すように、現像ロール６８から剥離されたイエローの現像剤が供給器本体９４内へ全て回収されると、現像剤供給部８０ａ及びトナーカートリッジ７８ａｄは、現像ロール６８から退避する。
【０１１８】
図１３（Ｇ）に示すように、現像剤供給部８０ａ及びトナーカートリッジ７８ａｄが現像ロール６８から退避すると、現像剤供給部８０ｂが現像ロール６８に対向するように、エレベータ３１０は下降する。
【０１１９】
図１３（Ｈ）に示すように、現像剤供給部８０ｂが現像ロール６８に対向するようにエレベータ３１０が下降すると、現像装置３４は、現像剤供給部８０ｂから現像ロール６８へマゼンタの現像剤を供給する。
【０１２０】
なお、上記実施形態においては、２成分現像剤を用いて静電潜像を可視化する場合を例に説明したが、これに限定されることなく、例えば現像装置３４は、１成分現像剤を用いて静電潜像を可視化するものであってもよい。
【０１２１】
また、現像剤回収部８６によって回収された現像剤は、回転体６６の回転又はエレベータ３１０の昇降により搬送されて、所定の回収ボックスなどへ現像剤の自重によって回収されてもよい。
また、現像ロール６８から剥離して回収した現像剤を収容する回収現像剤収容部が、画像形成装置１０内の１ヶ所に設けられてもよいし、回転体６６内又はエレベータ３１０内に設けられてもよい。
【図面の簡単な説明】
【０１２２】
【図１】本発明の第１の実施形態に係る画像形成装置の概要を示す側面図である。
【図２】現像装置の実施例を示す側面図である。
【図３】トナーカートリッジの詳細を示す側面図である。
【図４】現像剤供給部の詳細を示す側面図である。
【図５】現像ロールに残存する現像剤（剥離位置周辺の現像剤を含む）を磁石が剥離する状態を示す拡大図である。
【図６】現像装置の動作例を示す概略図である。
【図７】本発明の第２の実施形態に係る画像形成装置の概要を示す側面図である。
【図８】現像装置の第１の変形例を示す側面図である。
【図９】現像装置の第１の変形例の動作例を示す概略図である。
【図１０】現像装置の第２の変形例を示す側面図である。
【図１１】現像装置の第２の変形例の動作例を示す概略図である。
【図１２】現像装置の第３の変形例を示す側面図である。
【図１３】現像装置の第３の変形例の動作例を示す概略図である。
【符号の説明】
【０１２３】
１０，２１０    画像形成装置
１４，２１４    給紙ユニット
２４，２２４    搬送路
２８，２２８    定着装置
３４，２３４    現像装置
３６，２３６    像保持体
３８，２３８    帯電装置
４２，２４２    露光装置
４４    中間転写装置
５４    二次転写バックアップロール
６０    二次転写ロール
６２，２６２    制御部
６６，２６６    回転体
６８    現像ロール
７０，２７０    層厚規制部材
７２    遮断部材
７４，２７４    現像ロール収容壁
７６，２７６    剥離部材
７８ａ〜７８ｄ    トナーカートリッジ
８０ａ〜８０ｄ，２８０ａ〜２８０ｄ    現像剤供給部
８２    回転軸
８４    収容器本体
８６    現像剤回収部
８８    開口部
９０    開閉部材
９２    排出口
９４    収容器本体
９６    第１の攪拌搬送部材
９８    第２の攪拌搬送部材
１００    第１の受入口
１０２    第２の受入口
１０４    開口部
１１０    磁石部材
１１２    円筒状部材
１１４    回転軸
１１６    磁石
１１８    案内部
３００    開閉部材
３０２    掻き取り部材
３０４    掻き取り部材
３０６    開閉部材
３０８    案内部材
３１０    エレベータ
【図１】
0005104302.tif 000002
【図２】
0005104302.tif 000003
【図３】
0005104302.tif 000004
【図４】
0005104302.tif 000005
【図５】
0005104302.tif 000006
【図６】
0005104302.tif 000007
【図７】
0005104302.tif 000008
【図８】
0005104302.tif 000009
【図９】
0005104302.tif 000010
【図１０】
0005104302.tif 000011
【図１１】
0005104302.tif 000012
【図１２】
0005104302.tif 000013
【図１３】
0005104302.tif 000014